(57)【特許請求の範囲】
【請求項１】
両端に開口を有し且つ伸縮可能な中空の蛇腹体と、電極とこの電極を両側から被覆した絶縁フィルムとで形成された面状発熱体とを備える暖房機であって、
複数の上記面状発熱体を、上記蛇腹体内に所定間隔で蛇腹体の伸縮方向にわたって取り付け、且つ、各面状発熱体の面が上記蛇腹体の伸縮方向とほぼ垂直になるよう、各面状発熱体の周縁部の一部又は全部を蛇腹体の内面部に固定した、
ことを特徴とする暖房機。
【請求項２】
請求項１に記載の暖房機において、
上記蛇腹体は、上記両端の開口を結ぶ直線の方向に伸縮可能な筒状の蛇腹体であり、
上記面状発熱体は、空気通孔を所定箇所に有する、
ことを特徴とする暖房機。
【請求項３】
請求項２に記載の暖房機において、
取っ手部を上記蛇腹体の一方端側に設け、当該蛇腹体を起立させるための台座部を蛇腹体の他方端側に設けた、
ことを特徴とする暖房機。
【請求項４】
請求項１に記載の暖房機において、
上記蛇腹体は、上記両端の開口を結ぶ直線と垂直な方向に伸縮可能な蛇腹体である、
ことを特徴とする暖房機。
【請求項５】
請求項４に記載の暖房機において、
上記蛇腹体の伸縮方向で向き合う両側部を、所定長さの固定枠にそれぞれ固定した、
ことを特徴とする暖房機。
【請求項６】
請求項１ないし請求項５のいずれかに記載の暖房機において、
上記面状発熱体の少なくとも絶縁フィルムを、合成樹脂で形成した、
ことを特徴とする暖房機。
【発明の詳細な説明】
【技術分野】
【０００１】
この発明は、所定の電圧で発熱する面状発熱体を備えた暖房機に関するものである。
【背景技術】
【０００２】
従来、暖房機は、ニクロム線式のヒータを用いたものが一般的であった。
しかし、ニクロム線式のヒータを用いた暖房機は、小さく変形することが困難であったため、装置自体が大型化しがちであった。
暖房機は、一般に、寒い時期にしか使用せず、１年間の大部分は、押入の中等に収納しておくものである。
したがって、大型の暖房機では、大きな収納場所をとり、しかも、その場所を長期間占有してしまうという問題があった。
そこで、特許文献１及び特許文献２に記載の暖房機のように、丸めたり、折り畳んだりして小型にすることができる暖房機が提案されている。
【０００３】
特許文献１に記載の暖房機は、折畳み式パネルヒータであり、１対の基板とパネルヒータとで、構成されている。
具体的には、１対のパネル基板が開閉自在に連結され、面状発熱層を有したパネルヒータが、１対のパネル基板の前面にそれぞれ取付けられている。
これにより、１対のパネル基板を折り畳むことで、暖房機をコンパクトに折り畳んで収納することができるようになっている。
また、特許文献２に記載の暖房機は、フレキシブルパネルヒータであり、可撓性面発熱体と、これを自立可能に支持する保形性基枠とで構成されている。
具体的には、炭素繊維混抄発熱シートが、1対の細状電極を有した炭素繊維混抄紙をプラスチックフィルムで被覆することにより、形成され、可撓性面発熱体が、この炭素繊維混抄発熱シートを可撓性を有する外装材に挟着することにより、形成されている。そして、この可撓性面発熱体の下縁が、変形可能で自らその形を保持し得る材料からなる保形性基枠に挿し込こまれている。
このように、暖房機自体に可撓性をもたせることで、暖房機を丸めたり、折り畳んだりして、小さなスペースに収納することができるようにしている。
【先行技術文献】
【特許文献】
【０００４】
【特許文献１】特開２００６−２０７９３０号公報
【特許文献２】実開平０３−０８３７１５号公報
【発明の概要】
【発明が解決しようとする課題】
【０００５】
しかし、上記した従来の技術では、次のような課題があった。
特許文献１に記載の暖房機では、産業用であるため、構造が複雑且つ強固である。すなわち、１対のパネル基板が、複数の蝶番で連結され、しかも、各パネル基板が、保護カバーによって被覆される等、パネル基板の剛性を高めるために、多数の部材を複雑に組み合わせて、１対のパネル基板の部分を構成している。さらに、パネルヒータが、カーボン層を塗布したセラミックス基板と電極とで構成されているので、構造全体が複雑である。このため、軽量化を図ることが困難であると共に、製造コストも高くなってしまう。
一方、特許文献２に記載の暖房機では、構造がシンプルであるため、軽量化と製造コストの低減化とを図ることができる。しかし、この暖房機を筒状の構造にすると、可撓性面発熱体を折り曲げたり、丸めたりしなければならない。可撓性面発熱体を折り曲げ等すると、過剰発熱する部分が発生し、均一な発熱分布を得ることができないおそれがある。
【０００６】
この発明は、上述した課題を解決するためになされたもので、小型化を図ることができるだけでなく、軽量化と製造コストの低減化とを図ることができると共に、面状発熱体を曲げることなく使用することができる暖房機を提供することを目的とする。
【課題を解決するための手段】
【０００７】
上記課題を解決するために、  請求項１の発明は、両端に開口を有し且つ伸縮可能な中空の蛇腹体と、電極とこの電極を両側から被覆した絶縁フィルムとで形成された面状発熱体とを備える暖房機であって、複数の面状発熱体を、蛇腹体内に所定間隔で蛇腹体の伸縮方向にわたって取り付け、且つ、各面状発熱体の面が蛇腹体の伸縮方向とほぼ垂直になるよう、各面状発熱体の周縁部の一部又は全部を蛇腹体の内面部に固定した構成とする。
かかる構成により、蛇腹体を伸ばし、電圧を面状発熱体の電極に供給すると、電極が発熱し、熱が面状発熱体から放射される。
すると、蛇腹体内の空気が、面状発熱体から放射された熱によって暖められ、中空の蛇腹体内を流れる。このとき、暖められた空気は、蛇腹体の一方の開口側に向かう。そして、この空気が、一方の開口から外部に流出し、新しい空気が、他方の開口から蛇腹体内に流入する。
そして、他方の開口から蛇腹体内に流入した空気が、複数の面状発熱体によって暖められ、一方の開口側に向かう。以後、同様に、空気が、蛇腹体の一方の開口から外部に流出すると共に、新しい空気が、他方の開口から蛇腹体内に流入する。
このようにして、空気の循環が、外部と暖房機との間で生じ、暖房機の周囲が、暖房機から流出された空気によって暖められる。
暖房機の使用後は、面状発熱体の電極への電圧供給を停止し、蛇腹体を縮めることができる。
このように、蛇腹体を縮めることにより、暖房機自体を小さくすることができるので、暖房機を小さなスペースに収納することができる。
また、この発明の暖房機は、伸縮可能な中空の蛇腹体と、電極と絶縁フィルムとで成る面状発熱体という簡単な構造であるため、暖房機を軽量化することができると共に製造コストの低減化を図ることができる。
さらに、複数の面状発熱体を、蛇腹体内に所定間隔で蛇腹体の伸縮方向にわたって取り付け且つ各面状発熱体の面が蛇腹体の伸縮方向とほぼ垂直になるよう、蛇腹体の内面部に配した構成を採用しているので、暖房機を使用する際に、面状発熱体が、折れ曲がったり、丸まったりすることはない。この結果、各面状発熱体において、均一な発熱分布を得ることができる。
【０００８】
請求項２の発明は、請求項１に記載の暖房機において、蛇腹体は、両端の開口を結ぶ直線の方向に伸縮可能な筒状の蛇腹体であり、面状発熱体は、空気通孔を所定箇所に有する構成とした。
かかる構成により、蛇腹体を両端の開口を結ぶ直線の方向に伸ばし、電圧を面状発熱体の電極に供給すると、電極が発熱し、熱が面状発熱体から放射される。
すると、面状発熱体によって暖められた空気が、複数の面状発熱体の空気通孔を通って、蛇腹体の一方の開口側に向かう。そして、この空気が、一方の開口から外部に流出し、新しい空気が、他方の開口から蛇腹体内に流入する。
そして、他方の開口から蛇腹体内に流入し複数の面状発熱体によって暖められた空気が、複数の面状発熱体の空気通孔を通って、一方の開口側に向かう。
これにより、空気の循環が、外部と暖房機との間で生じ、暖房機の周囲が、暖房機から流出された空気によって暖められる。
暖房機の使用後は、面状発熱体の電極への電圧供給を停止し、蛇腹体を両端の開口を結ぶ直線の方向に縮めることができる。
【０００９】
請求項３の発明は、請求項２に記載の暖房機において、取っ手部を蛇腹体の一方端側に設け、当該蛇腹体を起立させるための台座部を蛇腹体の他方端側に設けた構成とする。
かかる構成により、暖房機を、台座部を下にして床等の上に置き、取っ手部を掴んで、蛇腹体を伸ばすことができる。これにより、蛇腹体が台座部上に起立し、暖房機が安定した状態になる。そして、取っ手を持って、暖房機を所望の場所まで運ぶことができる。
暖房機を所望の場所まで運んだ後、電圧を面状発熱体に供給すると、面状発熱体によって暖められた空気が、取っ手部側の開口から流出し、新しい空気が、台座部側の開口から蛇腹体内に流入する。このようにして、空気の循環が、外部と暖房機との間で生じ、暖房機の周囲が暖められる。
【００１０】
請求項４の発明は、請求項１に記載の暖房機において、蛇腹体は、両端の開口を結ぶ直線と垂直な方向に伸縮可能な蛇腹体である構成とした。
かかる構成により、蛇腹体を両端の開口を結ぶ直線と垂直な方向に伸ばし、電圧を面状発熱体の電極に供給すると、電極が発熱し、熱が面状発熱体から放射される。
すると、面状発熱体によって暖められた空気が、蛇腹体の一方の開口側に向かい、一方の開口から外部に流出する。そして、他方の開口から蛇腹体内に流入し複数の面状発熱体によって暖められた空気が、一方の開口側に向かい、空気の循環が、外部と暖房機との間で生じる。
暖房機の使用後は、面状発熱体の電極への電圧供給を停止し、蛇腹体を両端の開口を結ぶ直線と垂直な方向に縮めることができる。
【００１１】
請求項５の発明は、請求項４に記載の暖房機において、蛇腹体の伸縮方向で向き合う両側部を、所定長さの固定枠にそれぞれ固定した構成とする。
かかる構成により、両側の固定枠を立てることで、暖房機を縦型のストーブのように使用することができ、両側の固定枠を横向きにして窓等に吊り下げることで、暖房機を横型のブラインドにように使用することができる。
【００１２】
請求項６の発明は、請求項１ないし請求項５のいずれかに記載の暖房機において、面状発熱体の少なくとも絶縁フィルムを、合成樹脂で形成した構成ととする。
【発明の効果】
【００１３】
以上詳しく説明したように、この発明によれば、蛇腹体を縮めることにより、暖房機自体をコンパクトにして、暖房機を小さなスペースに収納することができるだけでなく、構造の簡易化により、軽量化及び製造コストの低減化を図ることができると共に、面状発熱体を曲げることなく使用することができるという優れた効果を有する。
特に、請求項３の発明では、取っ手部を掴んで、暖房機を所望の場所まで運ぶことができ、携帯性に優れている。また、暖房機を、台座部上に安定した状態で起立させることができる。
また、請求項５の発明によれば、固定枠を縦構造にすることで、暖房機を、縦型のストーブのような構造にすることができ、固定枠を横構造にすることで、暖房機を横型のブラインドにような構造にすることができる。
【図面の簡単な説明】
【００１４】
【図１】この発明の第１実施例に係る暖房機を示す斜視図である。
【図２】暖房機の概略断面図である。
【図３】蛇腹体の平面図である。
【図４】蛇腹体の展開図である。
【図５】面状発熱体を一部破断して示す平面図である。
【図６】面状発熱体の断面図である。
【図７】面状発熱体の取り付け状態を示す部分断面図である。
【図８】４枚の面状発熱体と制御モジュールとの電気的接続を示すブロック図である。
【図９】暖房機の使用例を示す正面図であり、図９の（ａ）は、蛇腹体を伸ばした状態を示し、図９の（ｂ）は、蛇腹体を縮めた状態を示す。
【図１０】暖房機の暖房作用を説明するための概略断面図である。
【図１１】この発明の第２実施例に係る暖房機を示す概略断面図である。
【図１２】この発明の第３実施例に係る暖房機の要部である電気的接続を示すブロック図である。
【図１３】この発明の第４実施例に係る暖房機を示す斜視図である。
【図１４】この発明の第５実施例に係る暖房機の正面図である。
【図１５】ＬＥＤランプの取り付け位置を示す平面図である。
【図１６】この発明の第６実施例に係る暖房機を示す概略断面図である。
【図１７】この発明の第７実施例に係る暖房機の斜視図である。
【図１８】面状発熱体と制御モジュールとの電気的接続を示すブロック図である。
【図１９】この発明の第８実施例に係る暖房機の斜視図である。
【図２０】この発明の第９実施例に係る暖房機の斜視図である。
【図２１】一部破断して示す蛇腹体と面状発熱体と制御モジュールとの電気的接続状態を示すブロック図である。
【発明を実施するための形態】
【００１５】
以下、この発明の最良の形態について図面を参照して説明する。
【００１６】
（実施例１）
図１は、この発明の第１実施例に係る暖房機を示す斜視図であり、図２は、暖房機の概略断面図である。
図１に示すように、この実施例の暖房機１−１は、蛇腹体２−１と、４枚の面状発熱体３−１〜３−４と備えている。
【００１７】
蛇腹体２−１は、図２に示すように、開口２ａ，２ｂを両端に有した中空の筒状体である。
１００°Ｃ以上の耐熱性がある材料が、蛇腹体２−１の材料として好適である。このような材料として、アラミド紙，合成繊維，合成樹脂及びその他の紙類がある。この実施例では、耐熱性と絶縁性と耐久性とに優れたアラミド紙を適用した。
図３は、蛇腹体２−１の平面図であり、図４は、蛇腹体２−１の展開図である。
図３に示すように、この実施例の蛇腹体２−１は、平面視において正１０角形をなす筒状体である。図４において、点線は、折れ目であり、この折れ目に従って折り込むことで、正１０角形をなす筒状体の蛇腹体２−１を形成することができる。具体的には、図４に示すように、蛇腹体２−１の展開紙には、頂点ＢＣＤＥの菱形折り目が横方向に設定され、頂点ＥＤＦＧの菱形折り目が、頂点ＢＣＤＥの菱形折り目の上下に設定されている。蛇腹体２−１は、これら頂点ＢＣＤＥの菱形折り目と頂点ＥＤＦＧの菱形折り目とを山折り及び谷折りすることにより、形成される。かかる折り方による構造は、所謂「円筒折り紙構造」であり、公知であるので、詳しい説明は省略する。
このようにして形成された蛇腹体２−１は、長さ方向、つまり両端の開口２ａ，２ｂを結ぶ直線Ｍの方向（図２の上下方向）に伸縮可能であり、収縮時の長さが、伸張時の長さのほぼ１／４になるように設定されている。
【００１８】
図１及び図２に示すように、蛇腹体２−１の下端は、台座部４に固定され、上端は、取っ手部６が取り付けられた枠部５に固定されている。
具体的には、耐熱性と剛性を有した材料が、台座部４と枠部５と取っ手部６として好適である。このような材料として、ポリプロピレン、ＡＢＳ樹脂（アクリロニトリル・ブタジエン・スチレン共重合合成樹脂）、ポリカーボネート、ポリブチレンテレフタレート等の合成樹脂がある。この実施例では、ＡＢＳ樹脂を適用した。なお、台座部４，枠部５や取っ手部６を、木製にしたり、布や樹脂で固めた布で作成することもできることは勿論である。
台座部４は、蛇腹体２−１の開口２ａよりも大きなドーナッツ状の部材であり、中央の円形の孔４０が開口２ａと連通している。また、複数の足４ａが、台座部４の下面に設けられ、後述する制御モジュール７等を収納することができる内室４１が、台座部４の内部に形成されている。
蛇腹体２−１の他方端としての下端部２１が、このような台座部４の上面４２に固定されており、これにより、蛇腹体２−１を伸張させて、台座部４上に起立させることができるようになっている。
枠部５も、台座部４と同様に、蛇腹体２−１の開口２ｂよりも大きなドーナッツ状に形成された部材であり、中央の円形の孔５０が開口２ｂと連通している。
蛇腹体２−１の一方端としての上端部２２が、このような枠部５の下面５２に固定されており、取っ手部６は、この枠部５の上に取り付けられている。
取っ手部６は、枠部５よりも小径に設定されたドーナッツ状の部材であり、中央の円形の孔６０が、枠部５の孔５０と連通している。
取っ手部６は、ユーザが蛇腹体２−１を伸張等する際に使用する部分であり、取っ手部６を摘んだり、指を取っ手部６の孔６０に挿入する等して、蛇腹体２−１を伸張及び収縮させることができる。
【００１９】
４枚の面状発熱体３−１〜３−４は、蛇腹体２−１の内部に配設されている。
図５は、各面状発熱体３−１（３−２〜３−４）を一部破断して示す平面図であり、図６は、各面状発熱体３−１（３−２〜３−４）の断面図である。
図５及び図６に示すように、各面状発熱体３−１（３−２〜３−４）は、電極３０と、この電極３０を両側から被覆した絶縁フィルム３１，３２とで形成されている。
【００２０】
絶縁フィルム３１，３２は、電極３０を絶縁するためのフィルムである。ＰＩ（ポリイミド），ＰＥＴ（ポリエチレンテレフタレート），ＰＥＮ（ポリエチレンナフタレート），ＰＡ（ポリアミド）やＰＰ（ポリプロピレン）等の合成樹脂が、絶縁フィルム３１，３２の材料として好適であるが、この実施例では、ＰＩ（ポリイミド）を適用した。
【００２１】
電極３０は、このような絶縁フィルム３１上に蛇行状に形成され、絶縁フィルム３２が、電極３０を覆うように絶縁フィルム３１上に積層されている。そして、電極３０の両端子３０ａ，３０ｂが、絶縁フィルム３１，３２に被覆された状態で、外方に引き出されている。
この電極３０は、通電すると発熱する導電体であり、例えば、ステンレススチール（ＳＵＳ）、ニクロム線（ニッケル−クロム合金）、カンタル、鉄−ニッケル合金、銅−ニッケル合金等を薄い帯状にすることで形成することができる。この実施例では、ステンレススチール（ＳＵＳ）を電極３０の材料として用いた。
【００２２】
電極３０と絶縁フィルム３１，３２とで構成される各面状発熱体３−１（３−２〜３−４）は、図５に示すように、円形の空気通孔３ａを中心に有したドーナッツ状に形成され、その外形は、蛇腹体２−１の形状に対応した正１０角形に設定されている。また、各面状発熱体３−１（３−２〜３−４）の厚みｔ（図６参照）は、可能な限り薄いことが望ましいが、蛇腹体２−１を収縮させたときに、障害とならないような厚みに設定することが必要である。
【００２３】
図２に示すように、４枚の面状発熱体３−１〜３−４は、蛇腹体２−１内に等間隔で蛇腹体２−１の長さ方向にわたって配設されている。
図７は、各面状発熱体３−１（３−２〜３−４）の取り付け状態を示す部分断面図である。
図２及び図７に示すように、各面状発熱体３−１（３−２〜３−４）の表面３ｂが、蛇腹体２−１の長さ方向（図２及び図７の上下方向）とほぼ垂直になるよう、面状発熱体３−１（３−２〜３−４）が配置されている。そして、各面状発熱体３−１（３−２〜３−４）の周縁部３ｃが、蛇腹体２−１の内面の凹部２ｃに固定されている。
上記のように、４枚の面状発熱体３−１〜３−４は、蛇腹体２−１内に等間隔で平行に配置され、蛇腹体２−１の内面部に固定されている。そして、面状発熱体３−１〜３−４は、台座部４の内室４１内に装着された制御モジュール７に電気的に接続されている。
【００２４】
図８は、４枚の面状発熱体３−１〜３−４と制御モジュール７との電気的接続を示すブロック図である。
図８に示すように、配線パターン３５ａの一方端が面状発熱体３−２の電極３０の端子３０ａに接続され、配線パターン３５ｂの一方端がこの面状発熱体３−２の端子３０ｂに接続されると共に他方端が面状発熱体３−４の端子３０ａに接続されている。そして、配線パターン３５ｃの一方端が面状発熱体３−４の端子３０ｂに接続されると共に他方端が面状発熱体３−３の端子３０ａに接続され、配線パターン３５ｄの一方端が面状発熱体３−３の端子３０ｂに接続されると共に他方端が面状発熱体３−１の端子３０ａに接続されている。さらに、配線パターン３５ｅの一方端が面状発熱体３−１の端子３０ｂに接続されている。
そして、配線パターン３５ａの他方端が、制御モジュール７の端子７ａに接続され、配線パターン３５ｅの他方端が、制御モジュール７の端子７ｂに接続されている。つまり、４枚の面状発熱体３−１〜３−４は、制御モジュール７に電気的に直列に接続されている。
【００２５】
制御モジュール７は、  図示しない基板に、スイッチ７１とＬＥＤランプ７２とタイマ７３とサーモスタット７４とコントローラ７５とヒューズ７６と振動センサ７７と伸縮センサ７８とを組み付けたもので、図１に示すように、スイッチ７１とＬＥＤランプ７２とタイマ７３とを外部に露出させた状態で、台座部４の内室４１（図２参照）内に装着されている。
具体的には、図８に示すように、家庭用交流電源のコンセントに差し込むための差込プラグ７０が、ヒューズ７６を介してスイッチ７１に接続され、このスイッチ７１が、コントローラ７５に接続されている。そして、ＬＥＤランプ７２が、スイッチ７１とコントローラ７５との間に接続され、タイマ７３と振動センサ７７と伸縮センサ７８とが、コントローラ７５に接続されている。さらに、温度センサとして機能するサーモスタット７４が、コントローラ７５と制御モジュール７の端子７ａ，７ｂとの間に接続されている。
制御モジュール７が、かかる構造であるので、スイッチ７１をオンにすることにより、差込プラグ７０からの交流電圧が制御モジュール７内に入力され、ＬＥＤランプ７２が点灯する。これと同時に、タイマ７３とサーモスタット７４とコントローラ７５とが作動する。そして、コントローラ７５で制御された所定の電圧が、端子７ａ，７ｂから面状発熱体３−１〜３−４に供給され、面状発熱体３−１〜３−４が発熱する。
なお、タイマ７３は、ユーザが設定した時間が経過すると、コントローラ７５に経過を示す信号を送り、コントローラ７５は、この信号を入力すると、スイッチ７１をオフにする。また、スイッチ７１のオン時には、サーモスタット７４は、面状発熱体３−１〜３−４による発熱が所定の温度を保つように、オンとオフを繰り返す。
また、振動センサ７７は、暖房機１−１に振動が加わったときに、振動を感知して、感知信号をコントローラ７５に送るセンサであり、伸縮センサ７８は、例えば、台座部４の上面４２（図２参照）等に配設されており、蛇腹体２−１が収縮されたときに（図９の（ｂ）参照）、収縮状態を感知して、その感知信号をコントローラ７５に送るセンサである。コントローラ７５は、これら振動センサ７７や伸縮センサ７８からの感知信号を入力すると、スイッチ７１をオフにする。
【００２６】
以上、図１〜図８に示したように、この実施例の暖房機１−１が、ドーナッツ状の台座部４と枠部５と取っ手部６とが取り付けられた筒状の蛇腹体２−１と、電極３０と絶縁フィルム３１，３２とで成る面状発熱体３−１〜３−４と、台座部４内に装着された制御モジュール７という、軽量且つ少量の部材で形成されているため、暖房機１−１全体を軽量にすることができると共に、暖房機１−１を低コストで製造することができる。
【００２７】
次に、この実施例の暖房機１−１の作用及び効果について説明する。
図９は、暖房機１−１の使用例を示す正面図であり、図９の（ａ）は、蛇腹体２−１を伸ばした状態を示し、図９の（ｂ）は、蛇腹体２−１を縮めた状態を示す。
暖房機１−１を使用する場合には、図９の（ａ）に示すように、暖房機１−１を、台座部４を下にした状態で、床等の上に置き、取っ手部６を掴んで、蛇腹体２−１を長さ方向（図９の上方向）に伸ばす。これにより、蛇腹体２−１が、台座部４上に起立した状態になる。
【００２８】
かかる状態で、差込プラグ７０を交流電源のコンセント（図示省略）に差し込むと共に、スイッチ７１をオンにする。すると、ＬＥＤランプ７２が点灯すると共に、タイマ７３と図８に示したサーモスタット７４とコントローラ７５とが作動する。そして、コントローラ７５で制御された所定の電圧が、端子７ａ，７ｂから面状発熱体３−１〜３−４に供給され、面状発熱体３−１〜３−４が発熱する。そして、暖房機１−１内の温度が、面状発熱体３−１〜３−４の発熱によって上昇し、その温度が、サーモスタット７４によって所定温度に保持される。
【００２９】
図１０は、暖房機１−１の暖房作用を説明するための概略断面図である。
面状発熱体３−１〜３−４の発熱によって暖められた空気Ａは、図１０に示すように、蛇腹体２−１内を上昇し、各面状発熱体３−１（３−２〜３−４）の空気通孔３ａを通って、枠部５の孔５０側に向かう。そして、暖かい空気Ａは、蛇腹体２−１の開口２ｂから枠部５の孔５０と取っ手部６の孔６０とを通り抜けて、外部に流出する。
外部に流出した空気Ａは、周囲を暖めた後、冷えて下降する。そして、台座部４周りの冷えた空気Ａは、台座部４の下側を通って、孔４０から蛇腹体２−１内に流入する。以後、同様にして、空気Ａが面状発熱体３−１〜３−４で暖められ、各面状発熱体３−１（３−２〜３−４）の空気通孔３ａを通って、蛇腹体２−１内を上昇し、蛇腹体２−１の開口２ｂから枠部５の孔５０と取っ手部６の孔６０とを通って、外部に流出する。
このようにして、空気Ａが、暖房機１−１と外部との間を循環し、暖房機１−１の周囲が、暖房機１−１から流出された空気によって暖められる。
【００３０】
そして、図８に示したスイッチ７１を手動でオフにするか、タイマ７３に設定された時間が経過して、スイッチ７１がコントローラ７５の制御によって自動的にオフになることにより、暖房機１−１の使用が終了する。
暖房機１−１の使用終了後は、図９の（ｂ）に示すように、取っ手部６を持って、枠部５を押し下げる。すると、蛇腹体２−１が下方に縮んで、暖房機１−１の高さが、縮む前の高さの１／４になる。
このように、この実施例の暖房機１−１によれば、使用終了後は、蛇腹体２−１を縮めることにより、暖房機１−１自体を小さくすることができるので、暖房機１−１を小さなスペースに収納することができる。
また、図２に示したように、４枚の面状発熱体３−１〜３−４の面が、蛇腹体２−１の高さ方向とほぼ垂直になるよう、蛇腹体２−１内に取り付けられているので、すなわち、４枚の面状発熱体３−１〜３−４が高さ方向に平行に並んだ構成になっているので、上記のように、蛇腹体２−１を縮めた場合においても、面状発熱体３−１〜３−４が、折れ曲がったり、丸まったりすることはない。
【００３１】
（実施例２）
次に、この発明の第２実施例について説明する。
図１１は、この発明の第２実施例に係る暖房機１−１を示す概略断面図である。
図１１に示すように、この実施例の暖房機１−１では、複数の骨部８が蛇腹体２−１の内部に取り付けられている点が、上記第１実施例と異なる。
【００３２】
具体的には、各骨部８は、竹籤等で形成されたリング体であり、その形状は、蛇腹体２−１の平面視形状に対応させることが好ましい。この実施例では、蛇腹体２−１の平面視形状が正１０角形であるので、骨部８のリング形状を正１０角形に設定する。
このように、複数の骨部８を蛇腹体２−１の内部に一定間隔で取り付けることにより、蛇腹体２−１の補強を図ることができる。
その他の構成、作用及び効果は、上記第１実施例と同様であるので、それらの記載は省略する。
【００３３】
（実施例３）
次に、この発明の第３実施例について説明する。
図１２は、この発明の第３実施例に係る暖房機の要部である電気的接続を示すブロック図である。
図１２に示すように、この実施例では、３枚の面状発熱体３−１〜３−３における電極３０が、２つの分離電極３０Ａ，３０Ｂに分離された状態で、面状発熱体３−１〜３−４の電極３０が制御モジュール７に直列に接続されている。
具体的には、配線パターン３６ａが、制御モジュール７の端子７ａと面状発熱体３−１の分離電極３０Ａの端子３０ａとに接続されている。
そして、配線パターン３６ｂが、面状発熱体３−１の分離電極３０Ａの端子３０ｃと面状発熱体３−２の分離電極３０Ａの端子３０ａとに接続され、配線パターン３６ｃが、面状発熱体３−２の分離電極３０Ａの端子３０ｃと面状発熱体３−３の分離電極３０Ａの端子３０ａとに接続され、配線パターン３６ｄが、面状発熱体３−３の分離電極３０Ａの端子３０ｃと面状発熱体３−４の電極３０の端子３０ａとに接続されている。
さらに、配線パターン３６ｅが、面状発熱体３−４の電極３０の端子３０ｂと面状発熱体３−３の分離電極３０Ｂの端子３０ｄとに接続され、配線パターン３６ｆが、面状発熱体３−３の分離電極３０Ｂの端子３０ｂと面状発熱体３−２の分離電極３０Ｂの端子３０ｄとに接続され、配線パターン３６ｇが、面状発熱体３−２の分離電極３０Ｂの端子３０ｂと面状発熱体３−１の分離電極３０Ｂの端子３０ｄとに接続されている。
そして、配線パターン３６ｈが、面状発熱体３−１の分離電極３０Ｂの端子３０ｂと制御モジュール７の端子７ｂとに接続されている。
その他の構成、作用及び効果は、上記第１及び第２実施例と同様であるので、それらの記載は省略する。
【００３４】
（実施例４）
次に、この発明の第４実施例について説明する。
図１３は、この発明の第４実施例に係る暖房機１−１を示す斜視図である。
図１３に示すように、この実施例の暖房機１−１では、取っ手部６’の形状が、上記第１〜第３実施例に適用された取っ手部６と異なる。
【００３５】
具体的には、取っ手部６’は、ほぼ半円形の形成されており、その両端部６ａ’，６ｂ’が、それぞれ枠部５の周面５ａに回転自在に取り付けられている。
これにより、  図１３の実線で示すように、取っ手部６’を立てて、暖房機１−１を持ち運ぶことができる。そして、暖房機１−１の作動時又は収納時には、二点鎖線で示すように、取っ手部６’を回転させて、枠部５の周面５ａの隣に位置させることができる。
取っ手部６’をこのような形状にすることにより、取っ手部６’を天井等のフック部分に引っかけることで、暖房機１−１全体を天井等にぶら下げることができる。
その他の構成、作用及び効果は、上記第１〜第３実施例と同様であるので、それらの記載は省略する。
【００３６】
（実施例５）
次に、この発明の第５実施例について説明する。
図１４は、この発明の第５実施例に係る暖房機の正面図であり、図１５は、ＬＥＤランプの取り付け位置を示す平面図である。
これらの図に示すように、この実施例の暖房機１−１は、複数の小孔ＨとＬＥＤランプ７２’を有する点が、上記第１〜第４実施例と異なる。
【００３７】
図１４に示すように、小孔Ｈは、蛇腹体２−１の表面に設けられている。具体的には、平面視において正１０角形蛇腹体２−１の頂点Ｐを切り取ることで、小孔Ｈを形成している。蛇腹体２−１には、多数の頂点Ｐが存在し、小孔Ｈは、任意の頂点Ｐに形成することができる。したがって、全ての頂点Ｐに、小孔Ｈを形成することができるが、この実施例では、図１５に示すように、蛇腹体２−１の周方向に並ぶ複数の頂点Ｐのおいて、１つおきに小孔Ｈを形成した。また、小孔Ｈは、蛇腹体２−１において、頂点Ｐ以外の任意の箇所にも形成することができる。
【００３８】
一方、ＬＥＤランプ７２’は、蛇腹体２−１の内部に配置されている。具体的には、３つのＬＥＤランプ７２’が、制御モジュール７（図８参照）において、ＬＥＤランプ７２と並列に接続されている。そして、これら３つのＬＥＤランプ７２’が、台座部４の上面４２であって且つ蛇腹体２−１の内部に位置する部位に等角度間隔で配置されている。
【００３９】
かかる構成により、暖房機１−１のスイッチ７１をオンにすると、ＬＥＤランプ７２と共に、３つのＬＥＤランプ７２’が蛇腹体２−１の内部で点灯し、その光が、蛇腹体２−１の小孔Ｈから外部に漏れる。ユーザは、複数の小孔Ｈから漏れる複数の光を、あたかも星座のように鑑賞することができる。
また、面状発熱体３−１〜３−４で加熱された空気も、小孔Ｈから蛇腹体２−１の外部に漏出する。
その他の構成、作用及び効果は、上記第１〜第４実施例と同様であるので、それらの記載は省略する。
【００４０】
（実施例６）
次に、この発明の第６実施例について説明する。
図１６は、この発明の第６実施例に係る暖房機を示す概略断面図である。
この実施例の暖房機１−１は、ファン６１を備える点が、上記第１〜第５実施例と異なる。
具体的には、図１６に示すように、ファン６１を取っ手部６の孔６０内に装着した。このファン６１は、図示しないモータによって回転するもので、羽の向きは、空気Ａを取っ手部６の孔６０内に吸い込むような向きに設定されている。また、図示しないモータの通電用の両端子は制御モジュール７の端子７ａ，７ｂ（図８参照）に接続されている。
【００４１】
かかる構成により、暖房機１−１の作動時に、ファン６１が回転し、空気Ａを取っ手部６の孔６０から蛇腹体２−１内部に吸入する。蛇腹体２−１内部の空気Ａは、ファン６１の回転によって、台座部４の孔４０側に送り出され、台座部４の下側から蛇腹体２−１の外部に流出される。
すなわち、この実施例の暖房機１−１は、所謂ファンヒータのごとく機能し、暖房機１−１の作動と同時に、暖かい空気Ａが、部屋等を下側から暖めるので、ユーザの周囲の温度を短時間で暖めることができる。
その他の構成、作用及び効果は、上記第１〜第５実施例と同様であるので、それらの記載は省略する。
【００４２】
（実施例７）
次に、この発明の第７実施例について説明する。
図１７は、この発明の第７実施例に係る暖房機の斜視図である。
この実施例の暖房機１−２では、その形状が、上記第１〜第５実施例の暖房機１−１と異なる。
【００４３】
図１７において、符号２−２がこの実施例で適用される蛇腹体であり、この蛇腹体２−２は、上下両端の開口２ａ，２ｂを結ぶ直線Ｍと垂直な方向に伸縮可能な蛇腹体である。
具体的には、ジグザグに折り曲げられた２枚のシート２６，２７を横並びに対向させることにより、上下両端にの開口２ａ，２ｂを有した蛇腹体２−２を形成する。そして、所定長さの固定枠９，１０を、この蛇腹体２−２の伸縮方向で向き合う両側部（図１７の左右側部）にそれぞれ固着した。このような固定枠９，１０の下端には、足９１，１１が、それぞれ設けられており、これにより、蛇腹体２−２の開口２ａ，２ｂが下，上になるように、固定枠９，１０を立てることができる。
【００４４】
また、４枚の長方形の面状発熱体３−１’〜３−４’が、このような蛇腹体２−２内に所定間隔で配設されている。
具体的には、長方形の各面状発熱体３−１’（３−２’〜３−４’）は、その面が蛇腹体の伸縮方向とほぼ垂直になるよう立てられ、４枚の面状発熱体３−１’〜３−４’が、ほぼ等間隔で横並びになるように、シート２６，２７の内面に固定されている。
【００４５】
図１８は、面状発熱体３−１’〜３−４’と制御モジュール７との電気的接続を示すブロック図である。
図１８に示すように、長方形の各面状発熱体３−１’（３−２’〜３−４’）は、上記実施例で適用された面状発熱体３−１（３−２〜３−４）と同様に、電極３０と、この電極３０を両側から被覆した絶縁フィルム３１，３２とで形成されている。
そして、図示しないが、制御モジュール７は、固定枠９の足９１に組み付けており、これら４枚の面状発熱体３−１’〜３−４’が直列に接続され、面状発熱体３−１’の端子端子３０ａ，３０ｂが、制御モジュール７の端子７ａ，７ｂにそれぞれ接続されている。
【００４６】
次に、この実施例の暖房機１−２の作用及び効果について説明する。
暖房機１−２が、図１７に示すような構造を有していることにより、機器の大型化が可能であり、リビング等で縦型のストーブとして使用することができる。
すなわち、暖房機１−２の足９１，１１を下にして、固定枠９，１０を縦枠状に立てることができる。このように、固定枠９，１０を立てた状態で、蛇腹体２−２を横方向に伸ばすことにより、縦型のストーブとなる。
ここで、暖房機１−２の制御モジュール７のスイッチ７１をオンにすると、面状発熱体３−１’〜３−４’が発熱する。
空気は、蛇腹体２−２の下側の開口２ａから中空の蛇腹体２−２内に入り込み、発熱状体の面状発熱体３−１’〜３−４’によって加熱された後、上側の開口２ｂから外部に流出する。つまり、空気の循環が、蛇腹体２−２の開口２ａ，２ｂを通じて、外部と暖房機１−２との間で生じ、リビング全体が暖まる。
暖房機１−２の使用後は、スイッチ７１をオフし、蛇腹体２−２を横方向に縮めることができる。
その他の構成、作用及び効果は、上記第１〜第５実施例と同様であるので、それらの記載は省略する。
【００４７】
（実施例８）
次に、この発明の第８実施例について説明する。
図１９は、この発明の第８実施例に係る暖房機の斜視図である。
図１９に示すように、この実施例の暖房機１−２は、横型のブラインドのように使用可能な構造になっている点が、上記第７実施例と異なる。
【００４８】
すなわち、この実施例の暖房機１−２では、蛇腹体２−２と固定枠９，１０が、横向きになっている。
この実施例の固定枠９，１０には、足９１，１１が設けられておらず、固定枠９，１０が、平板状に形成され、制御モジュール７が、固定枠９に組み付けられている。
蛇腹体２−２は、シート２６，２７で形成されているが、この実施例では、７枚の面状発熱体３−１’〜３−７’が、蛇腹体２−２内に配設されている。
したがって、この暖房機１−２の蛇腹体２−２は、上下方向（図１９の上下方向）に伸縮可能であり、上方の固定枠１０を図示しない窓枠等に引っかけて、暖房機１−２を吊り下げることで、暖房機１−２を横型のブラインドのように使用することができる。
その他の構成、作用及び効果は、上記第７実施例と同様であるので、それらの記載は省略する。
【００４９】
（実施例９）
次に、この発明の第９実施例について説明する。
図２０は、この発明の第９実施例に係る暖房機の斜視図であり、図２１は、一部破断して示す蛇腹体２−２と面状発熱体３−１’〜３−４’と制御モジュール７との電気的接続状態を示すブロック図である。
この実施例の暖房機は、蛇腹体を面状発熱体で形成した点が、上記第７実施例と異なる。
【００５０】
図２０に示すように、この実施例の暖房機１−２も、上記第７実施例と同様に、蛇腹体２−２と、複数の面状発熱体３−１’〜３−４’と、足９１，１１付きの固定枠９，１０とを備えている。
しかし、この実施例では、蛇腹体２−２を、面状発熱体であるシート２６’，２７’で構成した。
具体的には、図２１に示すように、蛇腹体２−２のシート２６’，２７’のそれぞれが、面状発熱体３−１’〜３−４’と同様に、電極３０と、この電極３０を両側から被覆した絶縁フィルム３１，３２とで形成されている。
そして、シート２６’の電極３０の端子２６ｂ’が、シート２７’の電極３０の端子２７ａ’に接続されている。
このような蛇腹体２−２と面状発熱体３−１’〜３−４’とは、スライド式のスイッチ７９を通じて制御モジュール７にそれぞれ接続されている。
具体的には、面状発熱体３−２’〜３−４’が面状発熱体３−１’に直列に接続され、この面状発熱体３−１’の端子３０ａ，３０ｂが、スイッチ７９の固定端子７９ａ，７９ｂにそれぞれ接続されている。そして、蛇腹体２−２のシート２６’の端子２６ａ’とシート２７’の端子２７ｂ’が、スイッチ７９の固定端子７９ｃ，７９ｄにそれぞれ接続されている。
また、１対の可動端子７９Ａ，７９Ｂが、絶縁性の摘み７９Ｃに取り付けられ、摘み７９Ｃを左右（図２１の左右）にスライドさせることで、可動端子７９Ａ，７９Ｂを一体に左右にスライドさせることができる。このような可動端子７９Ａ，７９Ｂは、制御モジュール７の端子７ａ，７ｂにそれぞれ接続されている。
【００５１】
次に、この実施例の暖房機１−２の使用例について説明する。
図２１に示すように、スイッチ７９の摘み７９Ｃを中央に位置させている状態では、可動端子７９Ａが、固定端子７９ａ，７９ｃの双方に接触し、可動端子７９Ｂが、固定端子７９ｂ，７９ｄの双方に接触している。したがって、かかる状態において、スイッチ７１をオンにすると、差込プラグ７０からの電圧が、蛇腹体２−２の電極３０と面状発熱体３−１’〜３−４’の電極３０の双方に供給され、蛇腹体２−２と面状発熱体３−１’〜３−４’の双方が発熱する。
そして、スイッチ７９の摘み７９Ｃを右方向にスライドさせると、可動端子７９Ａが、固定端子７９ａにのみ接触し、可動端子７９Ｂが、固定端子７９ｂのみに接触する。したがって、かかる状態では、電圧は、面状発熱体３−１’〜３−４’の電極３０にのみ供給され、面状発熱体３−１’〜３−４’のみが発熱する。
また、スイッチ７９の摘み７９Ｃを中央位置から左方向にスライドさせると、可動端子７９Ａが、固定端子７９ｃにのみ接触し、可動端子７９Ｂが、固定端子７９ｄのみに接触する。したがって、かかる状態では、電圧は、蛇腹体２−２の電極３０にのみ供給され、蛇腹体２−２のみが発熱する。
【００５２】
以上のように、この実施例の暖房機１−２によれば、スイッチ７９の摘み７９Ｃを中央に位置させることで、蛇腹体２−２と面状発熱体３−１’〜３−４’の双方を発熱させることができ、摘み７９Ｃを右側にスライドさせることで、面状発熱体３−１’〜３−４’のみを発熱させることができ、摘み７９Ｃを左側にスライドさせることで、蛇腹体２−２のみを発熱させることができので、リビング等の温度状況に応じて、暖房機１−２の発熱温度を調整することができ、非常に便利である。
なお、この実施例と同様に、第８実施例の蛇腹体２−２についても、面状発熱体であるシート２６’，２７’で形成することができることは勿論である。
その他の構成、作用及び効果は、上記第７実施例と同様であるので、それらの記載は省略する。
【００５３】
なお、この発明は、上記実施例に限定されるものではなく、発明の要旨の範囲内において種々の変形や変更が可能である。
例えば、上記第８実施例を除く実施例では、４枚の面状発熱体３−１〜３−４（３−１’〜３−４’）を蛇腹体２−１（２−２）内に等間隔で設けた暖房機１−１（１−２）を例示したが、面状発熱体の枚数や間隔は、４枚や等間隔に限定されるものではなく、第８実施例のごとく、蛇腹体の長さに応じて適宜決定することができる。
上記第１〜第５実施例では、空気通孔３ａを各面状発熱体３−１（３−２〜３−４）の中央に１つ設けた例を示したが、空気通孔の位置や個数はこれに限らず、任意である。
また、上記実施例では、絶縁フィルム３１，３２の材料として、ＰＩ（ポリイミド）等の合成樹脂を用いることが好適である旨記載したが、材料はこれに限定されるものではない。絶縁性の材料で形成されたフィルムを有する全ての暖房機が、この発明の範囲に含まれる。
また、上記実施例では、電極３０を、金属や合金等の材料で形成する例を示した。しかし、導電性インクをスクリーン印刷でパターニングすることでも、電極３０を形成することができる。例えば、絶縁フィルム３１，３２の材料としてＰＩ（ポリイミド）等の合成樹脂を使用する場合には、銀インクを樹脂上にスクリーン印刷でパターニングすることで、電極３０を形成することができる。
また、上記実施例では、電気的に直列接続した面状発熱体を有した暖房機を例示したが、電気的に並列接続した面状発熱体を有した暖房機も、この発明の範囲に含まれることは勿論である。
【００５４】
上記第１〜第５実施例では、蛇腹体として、平面視において正１０角形の蛇腹体２−１を適用した例を示したが、蛇腹体の形状は、任意であり、平面視において円形及び各種の多角形の全てを含む。
また、上記第１〜第５実施例では、取っ手部６，６’を有した蛇腹体２−１を例示したが、取っ手部６を有していない蛇腹体２−１を備えた暖房機も、発明の範囲に含まれる。
さらに、上記取っ手部６，６’の構造や形状は一例であり、上記第１〜第５実施例に記載した構造や形状に限定されるものではない。
【００５５】
上記第７〜第９実施例では、両端の開口を結ぶ直線と垂直な方向に伸縮可能な蛇腹体の例として、ジグザグに折った２枚のシート２６，２７（２６’，２７’）で構成した蛇腹体２−２を例示したが、これ限定されるものではなく、筒状のシートを、周方向にジグザグに折り曲げて形成した蛇腹体等、両端の開口を結ぶ直線と垂直な方向に伸縮可能な全ての形状の蛇腹体が、この発明の範囲に含まれる。
【００５６】
なお、上記実施例で適用した制御モジュール７やスイッチ７９の構造は、一例であり、制御モジュール７やスイッチ７９の構造は、これに限定されるものではない。さらに、この制御モジュール７を用いずに、差込プラグ７０を配線パターン３５ａ，３５ｅに直接接続した構成の暖房機も、この発明の範囲に含まれる。
【００５７】
また、上記第６実施例に適用されたファン６１の構造や形状は一例であり、これに限定されるものではなく、各種構造、形状のファンを適用することができる。
【符号の説明】
【００５８】
１−１，１−２…暖房機、  ２−１，２−２…蛇腹体、  ２ａ，２ｂ…開口、  ２ｃ…凹部、  ３−１〜３−４，３−１’〜３−７’…面状発熱体、  ３ａ…空気通孔、  ３ｂ…表面、  ３ｃ…周縁部、  ４…台座部、  ４ａ，１１，９１…足、  ５…枠部、  ５ａ…周面、  ６，６’…取っ手部、  ６ａ’，６ｂ’…端部、  ７…制御モジュール、  ７ａ，７ｂ，２６ａ’，２７ａ’，２６ｂ’，２７ｂ’，３０ａ〜３０ｄ…端子、  ８…骨部、  ９，１０…固定枠、  ２１…下端部、  ２２…上端部、  ２６，２７，２６’，２７’…シート、  ３０…電極、  ３０Ａ，３０Ｂ…分離電極、  ３１，３２…絶縁フィルム、  ４０，５０，６０…孔、  ４１…内室、  ４２…上面、  ５２…下面、  ３５ａ〜３５ｅ，３６ａ〜３６ｈ…配線パターン、  ６１…ファン、  ７０…差込プラグ、  ７１，７９…スイッチ、  ７２，７２’…ＬＥＤランプ、  ７３…タイマ、  ７４…サーモスタット、  ７５…コントローラ、  ７６…ヒューズ、  ７７…振動センサ、  ７８…伸縮センサ、  ７９Ａ，７９Ｂ…可動端子、  ７９Ｃ…摘み、  ７９ａ〜７９ｄ…固定端子、  Ａ…空気、  Ｂ〜Ｆ…頂点、  Ｈ…小孔、  Ｍ…直線、  ｔ…厚み、  Ｐ…頂点。
【図１】
0006555616.tif 000002
【図２】
0006555616.tif 000003
【図３】
0006555616.tif 000004
【図４】
0006555616.tif 000005
【図５】
0006555616.tif 000006
【図６】
0006555616.tif 000007
【図７】
0006555616.tif 000008
【図８】
0006555616.tif 000009
【図９】
0006555616.tif 000010
【図１０】
0006555616.tif 000011
【図１１】
0006555616.tif 000012
【図１２】
0006555616.tif 000013
【図１３】
0006555616.tif 000014
【図１４】
0006555616.tif 000015
【図１５】
0006555616.tif 000016
【図１６】
0006555616.tif 000017
【図１７】
0006555616.tif 000018
【図１８】
0006555616.tif 000019
【図１９】
0006555616.tif 000020
【図２０】
0006555616.tif 000021
【図２１】
0006555616.tif 000022